(57)【要約】【課題】  複写機の画像読取装置にて、読み取った画像データに対して、電子透かし情報が埋め込まれているかどうかを判定して、電子透かし情報が埋め込まれていた場合には、ＯＣＲ処理を行わないことが出来て、又は、ＯＣＲ処理に制限をかけることが出来て、電子透かし情報が埋め込まれていない場合には、ＯＣＲ処理を行うことが出来る複写機画像読取システムを提供する。【解決手段】  画像データを読み取る読み取り手段と、前記読取手段によって読み取られた画像データに、人間の目に識別しにくい電子透かし情報が付加されているか否かを判定する判定手段と、前記判定手段により電子透かし情報が付加されていない場合に、前記入力手段によって入力された画像データに対しＯＣＲ処理を行う手段と、前記判定手段により電子透かし情報が付加されている場合に、前記入力手段によって入力された画像データに対しＯＣＲを行わない手段と、を備える事を特徴とする。【選択図】        図２
2006203633.tif 000002
【特許請求の範囲】
【請求項１】
画像データを読み取る読み取り手段と、前記読取手段によって読み取られた画像データに、人間の目に識別しにくい電子透かし情報が付加されているか否かを判定する判定手段と、前記判定手段により電子透かし情報が付加されていない場合に、前記入力手段によって入力された画像データに対しＯＣＲ処理を行う手段と、前記判定手段により電子透かし情報が付加されている場合に、前記入力手段によって入力された画像データに対しＯＣＲを行わない手段と、
を備える事を特徴とする複写機画像読取システム。
【請求項２】
請求項１に記載の複写機画像読取システムにおいて、
前記判定手段により電子透かし情報が付加されていると判定した場合に、所定のパスコードの入力を要求する手段と、前記パスコードの入力を行う手段と、前記入力手順により入力されたパスコードが正しいかどうか判定する判定手段と、前記判定手段によりパスコードが正しいとされた場合、ＯＣＲ処理を行う手段と、所定のパスコードの設定を行う手段と、
を備える事を特徴とする複写機画像読取システム。
【請求項３】
請求項２に記載の複写機画像読取システムにおいて、
前記判定手段により電子透かし情報が付加されていると判定した場合に、他機器と通信を行ない、ＯＣＲ処理の可否を決定する手段と、
を備える事を特徴とする複写機画像読取システム。
【請求項４】
請求項２に記載の複写機画像読取システムにおいて、
前記判定手段により電子透かし情報が付加されていると判定した場合に、課金によりＯＣＲ処理に対する制限を解除する手段と、
を備える事を特徴とする複写機画像読取システム。
【請求項５】
請求項１に記載の複写機画像読取システムにおいて、
前記判定手段により電子透かし情報が付加されていると判定した場合に、前記入力手段によって入力された画像を保存しておく手段と、ＯＣＲ処理をした結果を保存しておく手段と、ＯＣＲ処理を行った結果に対し付加情報を加える手段と、
を備えることを特徴とする複写機画像読取システム。
【発明の詳細な説明】
【技術分野】
【０００１】
本発明は、複写機において、電子透かし情報を読み取る等の、複写機画像読取システムに関するものである。
【背景技術】
【０００２】
従来からＯＣＲ（Ｏｐｔｉｃａｌ  Ｃｈａｒａｃｔｅｒ  Ｒｅｃｏｇｎｉｔｉｏｎ）という技術が知られ、スキャナや画像表示、編集用アプリケーションでは普通の技術として普及している。
【０００３】
また近年、複写機やプリンタにて、電子透かし情報として画像の元データがあるサーバのアドレスや、ＵＲＬを埋め込んだ画像をプリントアウトし、その電子透かし情報が埋め込まれた画像を、複写機にて複写する際に、その電子透かし情報を読みだしその元データのサーバのアドレスや、ＵＲＬにより、複写機からネットワーク上のサーバにアクセスし、読み取った画像の元データを読み出してプリントする事で、複写する事による画像の劣化や、原本保持を行うという技術がある（例えば、特許文献１参照。）。
【特許文献１】特開２００４−４６５３７号公報
【発明の開示】
【発明が解決しようとする課題】
【０００４】
しかし、電子透かしを埋め込んである用紙というのは、電子透かしを埋め込み、原本保持を行いたいという意図がある。その為、複写機にて用紙を読み取った際に、ＯＣＲ処理を行ないｔｅｘｔ化してしまうと、原本の情報が変更可能となるという問題がある。
【０００５】
本発明は、複写機の画像読取装置にて、読み取った画像データに対して、電子透かし情報が埋め込まれているかどうかを判定して、電子透かし情報が埋め込まれていた場合には、ＯＣＲ処理を行わない又は、ＯＣＲ処理に制限をかける。電子透かし情報が埋め込まれていない場合には、ＯＣＲ処理を行うことを目的とするものである。
【課題を解決するための手段】
【０００６】
本発明は、画像を読み取る画像読取手段と、画像を読み取った際に電子透かし情報があるかないか判断する手段と、その判断した情報においてＯＣＲ処理の有り無しを決定する手段とを有する、複写機画像読取システムである。
【０００７】
すなわち、本発明は、画像データを読み取る読み取り手段と、前記読取手段によって読み取られた画像データに、人間の目に識別しにくい電子透かし情報が付加されているか否かを判定する判定手段と、前記判定手段により電子透かし情報が付加されていない場合に、前記入力手段によって入力された画像データに対しＯＣＲ処理を行う手段と、前記判定手段により電子透かし情報が付加されている場合に、前記入力手段によって入力された画像データに対しＯＣＲを行わない手段と、を備える事を特徴とする複写機画像読取システムである。
【発明の効果】
【０００８】
複写機の画像読取装置にて、読み取った画像データに対して、電子透かし情報が埋め込まれているかどうかを判定して、電子透かし情報が埋め込まれていた場合には、ＯＣＲ処理を行わない又は、ＯＣＲ処理に制限をかける。電子透かし情報が埋め込まれていない場合には、ＯＣＲ処理を行うことにより、原本保持を行うことが出来る。
【発明を実施するための最良の形態】
【０００９】
以下本発明を実施するための最良の形態を、実施例により詳しく説明する。
【実施例１】
【００１０】
図１は、本発明の実施例１である複写機１を示すブロック図である。
【００１１】
複写機１において、ＣＰＵ１０１は、ＲＯＭ１０２に格納されているプログラムに従って、複写機１の全体の制御を行ったり、また画像メモリ１０３ｄに格納された画像に対し、ＤＲＡＭ１０３は、ＳＲＡＭを含むＲＡＭである。ＣＰＵのワークエリア１０３ａ、画像メモリ１０３ｄは、ＤＲＡＭのアドレスにマッピングされている。各種パラメータ１０３ｂは、ＳＲＡＭにマッピングされている。
【００１２】
また、原稿を読み取る読取部１０４と、受信した画像や読取部１０４で読み取った画像を記録する記録部１０７と、各種オペレーションのためのキー入力を行う操作部１０５と、複写機１の状態表示する表示部１０６とが、複写機１に設けられている。ＮＩＣ１０９は、ネットワーク１１０に対してのインターフェイスの機能を持つのが、このＮＩＣ部２０４であり、例えば１０Ｂａｓａ−Ｔ／１００Ｂａｓｅ−ＴＸなどのＥｔｈｅｒｎｅｔ（登録商標）ケーブルなどを利用して外部からの情報を入手したり、外部へ情報を流す役割を果たす。
【００１３】
文字認識部１１１では、画像メモリ１０３ｄに蓄えられた画像データをＯＣＲによってｔｅｘｔデータに変換し、画像メモリ１０３ｄに蓄積する事が出来る。透かし判断部１１２では、画像メモリ１０２ｄに蓄えられた画像データに対し、電子透かしが入っているかどうかを判断する事が可能である。ＨＤＤ１１３は、画像データや登録データを保存しておく。
【００１４】
また、図２に本発明の実施の形態のシステムの概観図を示す。ネットワーク２０１に接続されたコンピュータ２０２はサーバ、コンピュータ２０３ａと２０３ｂはクライアントである。図示されていないがクライアントはこれらのほかにも多数接続されている。以下クライアントを代表して２０３と表記する。
【００１５】
更にネットワーク２０１にはＭＦＰ（Ｍｕｌｔｉ  Ｆｕｎｃｔｉｏｎ  ｐｅｒｉｐｈｅｒａｌ：マルチファンクション周辺機器）２０４ａ、２０４ｂ，２０４ｃ，２０４ｄが接続されている。２０４ａ、２０４ｂ，２０４ｃ，２０４ｄはフルカラーでスキャン、プリントなどが可能なカラー４ドラムＭＦＰである。
【００１６】
２０５はネットワークに接続された１ドラムカラーレーザビームプリンタＬＢＰである。
【００１７】
また、図示していないがネットワーク２０１上にはＭＦＰを初め、スキャナ、プリンタあるいは、ＦＡＸなどのその他の機器も接続されている。
【００１８】
ここでコンピュータ２０３上では、いわゆるＤＴＰ（Ｄｅｓｋ  Ｔｏｐ  Ｐｕｂｌｉｓｈｉｎｇ：デスクトップパブリッシング）を実行するアプリケーションソフトウェアを動作させ、各種文書／図形が作成／編集される。コンピュータ２０３は作成された文書／図形をＰＤＬ（Ｐａｇｅ  Ｄｅｓｃｒｉｐｔｉｏｎ  Ｌａｎｇｕａｇｅ：ページ記述言語）に変換し、ネットワーク２０１を介してＭＦＰ２０４、ＬＢＰ２０５に送られてプリントアウトされる。
【００１９】
ＭＦＰ１０４、ＬＢＰ１０５はそれぞれ、コンピュータ２０２、２０３とネットワーク２０１を介して情報交換できる通信手段を有しており、ＭＦＰ１０４、ＬＢＰ１０５の情報や状態をコンピュータ２０２、２０３側に逐次知らせる仕組みとなっている。更に、コンピュータ２０２、２０３は、その情報を受けて動作するユーティリティソフトウェアを持っており、ＭＦＰ１０４、ＬＢＰ１０５はコンピュータ２０２、２０３により管理される。
【００２０】
次に、上記実施例の動作について図３のフローチャートを用い説明する。
【００２１】
まず、ステップＣ１において、複写機１の読取部１０４により原稿の読取を行ない、ステップＣ２により、読み取った画像データを複写機１の内部の画像メモリ１０３ｄに入れる、ステップＣ３で、画像メモリ１０３ｄに入れた画像データに電子透かし情報が入っているかどうか、透かし判断部１１２にて判断を行う。ステップＣ４ではステップＣ３で電子透かしデータが画像データに含まれていた場合、画像データに対しなにも処理をせず処理を終了する。ステップＣ５ではステップＣ３で電子透かし情報が含まれていた場合には、画像データを文字認識部１１１にて、画像データのＴＥＸＴ化を行う。
【００２２】
これにより、文字認識が可能な複写機１にて画像を読み取る際に、その用紙に電子透かし情報が入っていれば、文字認識を不可とする事が可能となる。
【００２３】
次に、実施例２の動作を図４のフローチャートを用いて説明を行う。
【００２４】
まず、ステップＤ１において、複写機１の読取部１０４により原稿の読取を行ない、ステップＤ２により、読み取った画像データを複写機１の内部の画像メモリ１０３ｄに入れる、ステップＤ３にて、画像メモリ１０３ｄに入れた画像データに電子透かし情報が入っているかどうか、透かし判断部１１２にて判断を行う。ステップＤ４では、ステップＤ３にて画像メモリに入れられた画像データに電子透かし情報が含まれていた場合。複写機１の表示部１０６により画像を読み込んだ人物に対し、所定のパスコードの入力を行って下さいと表示を行う。ステップＤ５では入力されたパスコードが正しい物であるか判断を行う。パスコードの保持には、ＲＡＭ１０３の登録データ１０３ｂ又は、ＨＤＤ１１３を用い、予め操作部１０５によりユーザにパスコードの登録を行ってもらっておく。ステップＤ６ではパスコードが入力されない及び、間違ったパスコードが入力された場合に関して、ＯＣＲ処理を行わない。ステップＤ７では、電子透かしが入っていない画像データ及び、電子透かしが入っている画像データで、パスコードが正しく入力された物に関してＯＣＲ処理を行う。
【００２５】
これにより、請求項２では、電子透かし情報が入っているデータに対しパスコードをかける事により、特定のユーザに、電子透かし情報が入っている画像に対して、文字認識を可能とする事が出来る。
【００２６】
次に、実施例３の動作を図５のフローチャートを用いて説明を行う。
【００２７】
まずステップＥ１において、複写機１の読取部部１０４により原稿の読取を行ない、ステップＥ２により、読み取った画像データを複写機１の内部の画像メモリ１０３ｄに入れる、ステップＥ３にて、画像メモリ１０３ｄに入れた画像データに電子透かし情報が入っているかどうか、透かし判断部１１２にて判断を行う。ステップＥ４では、画像メモリ１０３ｄに入った画像データに含まれる電子透かし情報より、読み込んだ画像データの元ファイルがあるサーバ２０３とネットワーク２０１を介し通信を行う。ステップＥ５では、サーバ２０３が元データのユーザ権限を見て、それに応じたＬＯＧＩＮ名、所定のパスコードを要求し、複写機１はその情報を操作部１０５に表示し、画像を読み込んだ人物に対し、ＬＯＧＩＮ、パスコードの入力を求め文章の編集が可能なユーザかどうか判断を行う。ステップＥ６では、ステップＥ５にて編集が不可なユーザと判断された為、ＯＣＲ処理を行わない。ステップＥ７では、ステップＥ５にて電子透かしデータが入っている画像データに対し、ＯＣＲ処理が可能なユーザおよび、電子透かしデータが含まれていない画像に対し、ＯＣＲ処理を行う。
【００２８】
図８にサーバ上のユーザ権限の管理例を示す。
【００２９】
ユーザごとにｆｉｌｅのＲ−Ｗ（Ｒｅａｄ／Ｗｒｉｔｅ可）、Ｒ（Ｒｅａｄ可）、―（Ｒｅａｄ／Ｗｒｉｔｅ付加）というように設定されている。ＯＣＲを行う権限があるのは、Ｒ−Ｗ可のユーザのみとする。
【００３０】
これにより、サーバの文章の権限情報により、電子透かしが入った文章の、ＯＣＲ処理を行うかどうか決定する事が出来る。
【００３１】
次に、実施例４の動作を図６のフローチャートを用いて説明を行う。
【００３２】
まず、ステップＦ１において、複写機１の読取部１０４により原稿の読取を行ない、ステップＦ２により、読み取った画像データを複写機１の内部の画像メモリ１０３ｄに入れる、ステップＦ３にて、画像メモリ１０３ｄに入れた画像データに電子透かし情報が入っているかどうか、透かし判断部１１２にて判断を行う。ステップＦ４では、ステップＦ３にて画像メモリに入れられた画像データに電子透かし情報が含まれていた場合、画像を読み込んだユーザに対し、ＯＣＲ処理を行う場合には、課金の要求を行ない、料金が支払われたかどうか判断を行う。ステップＦ５では料金を支払わないユーザに対し、ＯＣＲ処理を行わないで処理を終了する。ステップＦ６では電子透かし情報が含まれていない原稿と、電子透かし情報が含まれる原稿を読取かつ料金を支払ったユーザに対し、原稿のＯＣＲ処理を行う。
【００３３】
これにより、請求項４では、電子透かし情報が入っているデータにＯＣＲ処理をかけたい場合、課金を行う事が出来る。
【００３４】
次に、実施例５の動作を図７のフローチャートを用いて説明を行う。
【００３５】
まず、ステップＧ１において、複写機１の読取部１０４により原稿の読取を行ない、ステップＧ２により、読み取った画像データを複写機１の内部の画像メモリ１０３ｄに入れる、ステップＧ３にて、画像メモリ１０３ｄに入れた画像データに電子透かし情報が入っているかどうか、透かし判断部１１２にて判断を行う。ステップＧ４では、画像データにＯＣＲ処理を行うが、元の画像データ、ＯＣＲ処理を行った後のファイルを複写機１のＨＤＤ１１３に保存を行う。また、ＯＣＲ処理を行った結果のデータに対し、ＯＣＲ処理が行なわれた事が判る所定のコードを入力しておく。
【００３６】
これにより、請求項５では電子透かし情報が入っているデータにＯＣＲ処理をかける際に、複写機１にて画像の元データと、ＯＣＲ処理を行った後のデータを保存しておく事像読取装置で読み込んだ際、ＯＣＲの処理に制限を掛ける事により、原稿の原本の保持を行えるという効果を奏する。
【図面の簡単な説明】
【００３７】
【図１】本発明の実施例１である複写機１の構成を示すブロック図である。
【図２】本発明の実施の形態のシステムの概観図を示す図である。
【図３】本発明の実施例１の動作を示すフローチャートである。
【図４】本発明の実施例２の動作を示すフローチャートである。
【図５】本発明の実施例３の動作を示すフローチャートである。
【図６】本発明の実施例４の動作を示すフローチャートである。
【図７】本発明の実施例５の動作を示すフローチャートである。
【図８】本発明の実施例３のサーバ上の管理例を示す図である。
【符号の説明】
【００３８】
２０１  ネットワーク
２０２  サーバ
２０３ａ  クライアント
２０３ｂ  クライアント
２０４ａ  ＭＦＰ
２０４ｂ  ＭＦＰ
２０４ｃ  ＭＦＰ
２０４ｄ  ＭＦＰ
２０５  ＬＢＰ
【図１】
2006203633.tif 000003
【図２】
2006203633.tif 000004
【図３】
2006203633.tif 000005
【図４】
2006203633.tif 000006
【図５】
2006203633.tif 000007
【図６】
2006203633.tif 000008
【図７】
2006203633.tif 000009
【図８】
2006203633.tif 000010